(57)【特許請求の範囲】
【請求項１】
ハウジングの上面側に載置された便座と、便座の下方側において前記ハウジング内に収納された着脱可能な汚物貯留用のバケツとを備えるトイレ装置において、前記ハウジングの上面部の下面と前記バケツの上縁との隙間を覆う垂下部を有するスクリーンカバーを、少なくともバケツの後部領域に位置するよう設け、前記バケツは、便座の前端側から後端側へ向かって下り勾配を有している支持プレート上に載置されて、前記ハウジングの上面部の下面とバケツの上縁との隙間が、前方側から後方側へ向かって拡大するように設定されていることを特徴とするトイレ装置。
【請求項２】
前記スクリーンカバーにおける垂下部の前端側領域を、前方側へ向かって先細りの形状に形成した請求項１に記載のトイレ装置。
【発明の詳細な説明】
【０００１】
【発明の属する技術分野】
本発明は、例えば、高齢者や傷病者が居室で用便を行えるようにするためのトイレ装置に関する。
【０００２】
なお本明細書において「前・後」とは、便座に着座した状態の使用者における前後を指すものとする。
【０００３】
【従来の技術】
高齢や傷病等のためトイレまでの移動が困難な者が、居室や寝室にて用便を済ますことができるようにするため、居間用トイレ・ポータブルトイレなどと称されるトイレ装置が従来開発されている。図８は、このようなトイレ装置Ｔの一例を示すものであって、ハウジング２４の上面に、洗浄水を貯留するタンク２１と便座２２とが載設され、便座２２の下方位置に、汚物貯留用のバケツ２３が配置されている。該バケツ２３は、ハウジング２４の前面開口２５より出し入れ可能であり、用便後にバケツ２３を運搬して、内容物をトイレ等に廃棄することができるようなされている。また必要に応じ、手すり２６が、ハウジング２４の側面から立ち上げて設けられる。
【０００４】
【発明が解決しようとする課題】
図８に示すようなトイレ装置Ｔにおいて、便座２２の後部下方に局部洗浄用ノズルを設けることがある。この場合、局部洗浄用ノズルは、通常、タンク２１の下面に前方へ突出するよう一体的に設けられる。従って、便座２２の後部直下領域において、便座２２が載置されるハウジング２４の上面部と、バケツ２３の上縁部との間に、ノズル配置用の間隙を確保する必要がある。このため、ノズルより噴出させた洗浄水や用便時の汚物等の飛沫が、ハウジング上面部とバケツ２３とに設けた隙間から周囲へ飛散するおそれがあった。
【０００５】
【課題を解決するための手段】
本発明は、居室等に設置される従来のトイレ装置における前記問題点の解決を図ることを目的とするものであって、その特徴とするところは、ハウジングの上面側に載置された便座と、便座の下方側において前記ハウジング内に収納された着脱可能な汚物貯留用のバケツとを備えるトイレ装置において、前記ハウジングの上面部の下面と前記バケツの上縁との隙間を覆う垂下部を有するスクリーンカバーを、少なくともバケツの後部領域に位置するよう設け、前記バケツは、便座の前端側から後端側へ向かって下り勾配を有している支持プレート上に載置されて、前記ハウジングの上面部の下面とバケツの上縁との隙間が、前方側から後方側へ向かって拡大するように設定されていることにある。かかる構成を採用することにより、ハウジング上面部とバケツとの隙間がスクリーンカバーで閉塞されるので、ノズルから噴出させた洗浄水や汚物の飛沫等が、周囲に飛散するのを防止できる。
【０００６】
又、これにより、ハウジング上面部とバケツとの間に洗浄水ノズルを配置するための間隙を確保するのが容易になると共に、便座下方へ装着したバケツの安定性が高まる。
【０００７】
さらに前記スクリーンカバーにおける垂下部の前端側領域を、前方側へ向かって先細りの形状に形成することも可能である。これにより、バケツの装着作業が容易になる。
【０００８】
【発明の実施の形態】
本発明を実施したトイレ装置Ｓの一例を、図面を参照して説明する。本例のトイレ装置Ｓは、ハウジング４の上面に、洗浄水を貯えるタンク１と便座２とが載設され、便座２は、タンク１の前面下部へヒンジＨによって取り付けられ、上下に揺動自在となっている。ハウジング４は、内部に汚物貯留用のバケツ７を着脱可能に収納し得る空間を有するものであって、バケツ７が載置される支持プレート６が配設されている。ハウジング４の上面部４ａ及び前面部４ｂにはそれぞれ切欠部４ｃ，４ｄが設けられ、上面部４ａの切欠部４ｃの大きさは、便座２中央の開口よりも十分に大きく設定される。また、前面部４ｂの切欠部４ｄの大きさは、バケツ７の出し入れ作業を支障なく行えるように設定される。ハウジング４の左右側面には、便座２に着座した使用者の左右に張り出すように設けた手すり５の基部が固定されている。なおハウジング４は、底部左右に実質的に平行に配置したベースフレーム９上に立設させた縦フレーム８によって支持され、必要に応じ、高さ調節が可能となされている。
【０００９】
図１及び図２に示す如く、本例にあっては、タンク１の下面に洗浄水の噴出用ノズル３が前方へ突出するように設けられている。そして、支持プレート６を前端から後方へ向かって下り勾配を持つよう設置することにより、バケツ７の姿勢を図示のように傾斜させて、ハウジング上面部４ａの下面とバケツ７の後部側上縁との間に比較的広い間隙を積極的に形成し、上記ノズル３とバケツ７とが干渉するのを回避するよう設計してある。
【００１０】
本発明では、上記隙間から、洗浄水や汚物の飛沫が周囲へ飛散するのを防ぐため、上記隙間を覆うスクリーンカバー１０を設けたところを特色としている。なお、前方側領域では、ハウジング上面部４ａとバケツ７との間の隙間が小さくなっているから、この部分のスクリーンカバー１０は省略が可能である。
【００１１】
前記スクリーンカバー１０は、例えば図５に示すような形態を有するものであり、ハウジング上面部４ａの下面等へ取着される平坦部１１と、平坦部１１の内周縁から垂下させた垂下部１２とから成っている。垂下部１２における前端側部分１２ａは、前方へ向かって先細りのテーパ形状に形成される。平坦部１１の後方中央領域には、洗浄水ノズル３を収納するための凹部１３が形成される。平坦部１１の適所に形成された開口１４は、スクリーンカバー１０をハウジング上面部４ａへ装着するためのフック（図示せず）等を挿入させるためのものである。なお、スクリーンカバー１０をハウジング上面部４ａへ装着する手段としては、フックのほか、磁石や面ファスナーによるもの等が考えられる。
【００１２】
スクリーンカバー１０の望ましい材質としては、耐水性・耐食性を持ち、汚れが付着しにくく、比較的強靱で、且つ、少なくとも垂下部１２については適度な柔軟性を有することであり、このようなものとしては、シリコン等の合成ゴムなどが挙げられる。
【００１３】
ところで、本例のスクリーンカバー１０は、ハウジング上面部４ａとバケツ７との間隙のうち後半部領域のみを覆うように設計されているが、上記間隙の前方側領域をも覆うように構成することも妨げない。
【００１４】
次に、本例のトイレ装置Ｓにおけるバケツ７の着脱手順について説明する。バケツ７をトイレ装置Ｓのハウジング４内へ設置するには、図１及び図２に示す如く便座２を開き上げた状態で、図６の（Ａ）のように、バケツ７を多少傾けた姿勢のまま、支持プレート６の表面に沿って後方側へ移動させる。このとき図示されるとおり、スクリーンカバー１０における垂下部１２の前端側をテーパ形状にしているから、バケツ７の内側に上記垂下部１２を挿入させるのが簡単である。次いで、この状態のままバケツ７をさらに後方へ押し込む。すると、図６（Ｂ）のように、バケツ７の後方上縁部が、スクリーンカバー垂下部１２の後端部位１２ｂを弾性的に折り曲げながら、図６（Ｃ）に示されるとおり、支持プレート６によって規定される所定位置までバケツ７が移動する。その結果、図３及び図４に示される状態にバケツ７が装着され、このとき、ハウジング上面部４ａとバケツ７との間隙のうちの少なくとも後半部領域は、スクリーンカバー１０によって覆われた状態となっている。
【００１５】
用便後にバケツ７をハウジング４内から取り出すには、便座２を開き上げた状態で、バケツ７の取っ手７ａを起こしてこれを把持し、バケツ７を前方へ引き出せばよい。このとき、スクリーンカバー１０の垂下部１２はバケツ７の内側に位置しているものの、該垂下部１２は適度な柔軟性を備えているので弾性的に変形するから、何ら困難を伴わずにバケツ７の取り出し作業を行うことができる。
【００１６】
ところで、図示した実施形態では、バケツ７が、ハウジング４の前面部４ｂから露出しており見栄えが悪い。そこで図７に例示するような前面カバー１５を、ハウジング前面部４ｂへ着脱可能に装着することにより、外観性を向上させるようにしてもよい。
【００１７】
【発明の効果】
本発明に係るトイレ装置は、便座の下方側に着脱可能な汚物貯留用バケツを備えるものにおいて、ハウジングの下面とバケツの上縁との隙間を覆う垂下部を有するスクリーンカバーを少なくともバケツの後部領域に設けたので、洗浄水ノズルを設けた場合に、このノズルから噴出する洗浄水や用便時の汚物の飛沫が周囲に飛散するのを防止することができる。また、バケツを、便座の前端側から後端側へ向かって下り勾配を有する支持プレート上に載置して、ハウジングの下面とバケツ上縁との隙間が便座の手前側から後方側へ向かって拡大するように設定したので、洗浄水ノズルとバケツとの干渉を避けるのが容易となり、バケツ装着時の安定性も向上する。さらに、スクリーンカバーにおける垂下部の前端側領域を前方側へ向かって先細りの形状に形成した場合は、バケツの装着作業が容易になる。
【図面の簡単な説明】
【図１】  本発明の一実施形態を示すものであって、バケツを取り外した状態のトイレ装置の斜視図である。
【図２】  本発明の一実施形態を示すものであって、バケツを取り外した状態のトイレ装置の部分断面側面図である。
【図３】  本発明の一実施形態を示すものであって、バケツを装着した状態のトイレ装置の斜視図である。
【図４】  本発明の一実施形態を示すものであって、バケツを装着した状態のトイレ装置の部分断面側面図である。
【図５】  本発明に係るトイレ装置に用いるスクリーンカバーの一例を示す斜視図である。
【図６】  本発明の一実施形態に関するものであって、図（Ａ）はバケツ装着作業の初期を示す側面断面図、図（Ｂ）はバケツ装着作業の途中を示す側面断面図、図（Ｃ）はバケツ装着作業の完了時を示す側面断面図である。
【図７】  本発明の異なる実施形態を示すトイレ装置の斜視図である。
【図８】  従来のトイレ装置の一例を示す斜視図である。
【符号の説明】
Ｓ…トイレ装置  １…タンク  ２…便座  ３…洗浄水ノズル  ４…ハウジング  ４ａ…ハウジングの上面部  ４ｂ…ハウジングの前面部  ５…手すり  ６…支持プレート  ７…バケツ  １０…スクリーンカバー  １１…平坦部  １２…垂下部
【図１】
0003975328.tif 000002
【図２】
0003975328.tif 000003
【図３】
0003975328.tif 000004
【図４】
0003975328.tif 000005
【図５】
0003975328.tif 000006
【図６】
0003975328.tif 000007
【図７】
0003975328.tif 000008
【図８】
0003975328.tif 000009